(57)【要約】      （修正有）【課題】安全で、取扱が容易であり、運行向けなどに柔軟に使用することができるコンテナ用の係止システムを提供する。【解決手段】係止コード（６）を受信するために、コンテナ係止制御装置（４）に関連付けられたコンテナ通信装置（５）が提供され、コンテナ・コード取得装置（７）が、係止コードの取得のために提供され、コンテナ係止制御装置は、受信された係止コードおよび取得された係止コードの比較を実行し、係止コードが正しく合致した場合、作動装置（２）を作動させるように提供され、中央制御装置（８）が提供され、この中央制御装置は、係止コードを生成し、これをダイヤルアップ通信ネットワーク（９）を介してコンテナ通信装置に送信し、通信コード（１０）が提供され、コンテナ通信装置がそれによって起動することができるように、通信コードはコンテナ・コード取得装置によってコンテナ係止制御装置に送られる。【選択図】図１
2019112140.tif 000002
【特許請求の範囲】
【請求項１】
係止ボルト（３）を作動させるための作動装置（２）を有し、前記作動装置（２）を制御するためのコンテナ係止制御装置（４）を有する、コンテナ（１）用の係止システムであって、
係止コード（６）を受信するために、前記コンテナ係止制御装置（４）に関連付けられたコンテナ通信装置（５）が提供され、コンテナ・コード取得装置（７）が、係止コード（６）の取得のために提供され、前記コンテナ係止制御装置（４）は、受信された係止コード（６）および取得された係止コード（６）の比較を実行し、係止コード（６）が正しく合致した場合、前記作動装置（２）を作動させるように提供され、中央制御装置（８）が提供され、前記中央制御装置は、前記係止コード（６）を生成し、これをダイヤルアップ通信ネットワーク（９）を介して前記コンテナ通信装置（５）に送信し、通信コード（１０）が提供され、前記コンテナ通信装置（５）がそれによって起動することができるように、前記通信コード（１０）は前記コンテナ・コード取得装置（７）によって前記コンテナ係止制御装置（４）に送られることを特徴とする、コンテナ（１）用の係止システム。
【請求項２】
前記係止コード（６）および前記通信コード（１０）が、前記ダイヤルアップ通信ネットワーク（９）によって送信され、携帯機器（１１）によって取り出すことができることを特徴とする、請求項１記載の係止システム。
【請求項３】
前記コンテナ・コード取得装置（７）が、前記係止コード（６）および前記通信コード（１０）を前記携帯機器（１１）のディスプレイを介して取得することを特徴とする、請求項１または２に記載の係止システム。
【請求項４】
前記コンテナ・コード取得装置（７）が、カメラであることを特徴とする、請求項１〜３のいずれか一項に記載の係止システム。
【請求項５】
前記係止コード（６）および／または前記通信コード（１０）が、ＱＲコードであることを特徴とする、請求項１〜４のいずれか一項に記載の係止システム。
【請求項６】
非常時作動装置（１２）が提供され、前記非常時作動装置は、前記ダイヤルアップ通信ネットワーク（９）の不具合が生じた場合に、数値の非常時係止コードの入力を可能にする数値キーパッド（１３）によって、前記コンテナ（１）の開閉を可能にすることを特徴とする、請求項１〜５のいずれか一項に記載の係止システム。
【請求項７】
前記ダイヤルアップ通信ネットワーク（９）が、セルラー・ネットワークであることを特徴とする、請求項１〜６のいずれか一項に記載の係止システム。
【請求項８】
係止ボルトを作動させる作動装置を有し、前記作動装置を制御するためのコンテナ係止制御装置を有する、コンテナ用の係止システムを提供することによって、前記コンテナを係止するための方法であって、
前記コンテナ係止制御装置に関連付けられたコンテナ通信装置が提供され、前記コンテナ通信装置による受信の後、前記作動装置は、コンテナ・コード取得装置による取得、そして受信された係止コードおよび取得された係止コードの比較の正しい合致の際に作動されるようになっており、中央制御装置が、前記係止コードを生成し、これをダイヤルアップ通信ネットワークを介して前記コンテナ通信装置に送信し、前記コンテナ通信装置は、前記コンテナ・コード取得装置によって前記コンテナ係止制御装置に送られた通信コードによって起動されることを特徴とする、前記コンテナを係止するための方法。
【発明の詳細な説明】
【技術分野】
【０００１】
本発明は、請求項１のプリアンブルに係るコンテナ用の係止システムと、請求項８のプリアンブルに係るコンテナを係止するための対応する方法とに関する。
【背景技術】
【０００２】
コンテナ用のそのような係止システムは、係止ボルトを作動させるための作動装置を有し、この作動装置は、好ましくは、電気的または磁気的に、すなわち電気機械的に作動させることができ、したがって係止ボルト上で作用し、係止ボルトは、係合および対応する係止のための対応する対合部分、通常は開口と相互作用する。コンテナ係止制御装置が、作動装置を制御するために提供される。従来技術では、コンテナ用の対応する係止システムは、たとえばセミトレーラ・トラックにすでに使用されている。
【０００３】
そのような係止システムが貨物用コンテナ、特に車両を意図した航空貨物コンテナで使用される場合、十分に安全な対応する係止システムを設計することが、基本的な問題である。特にそのようなコンテナで車両を発送する場合、特に試作品または特別なレース用車両が権限の無い者によるアクセスから的確に保護されることを確実にする必要がある。そのようなコンテナと一緒に送られる発送書類内に鍵またはオープン・ピン・コードが含まれ、その結果、非権限者がコードまたは鍵を入手して対応するコンテナを権限無しに開くことができないことが容易に確実にされないという安全上のリスクが生じる可能性がある。
【０００４】
トレーラ・トラックに永久的に取り付けられたコンテナの分野では、送信された正しいセキュリティ・コードによってのみ開くことができるように、そのようなコンテナを開閉するためのセキュリティ・コードが電気通信装置によって送られるといったような方法が、すでに存在している。しかし、これは、すべての通信装置を少なくとも飛行運行中に停止させることを確実にする必要があるため、特に航空貨物コンテナの分野では使用することはできない。
【発明の概要】
【発明が解決しようとする課題】
【０００５】
したがって、本発明の目的は、従来技術の欠点を克服する、コンテナ、貨物用コンテナ、特に具体的には車両を発送するための航空貨物コンテナ用の係止システムを提供し、特に、安全であり、取り扱いが容易であり、飛行運行向けなどに柔軟に使用することができるコンテナ用の係止システムを提供することである。これはまた、対応するコンテナを係止する（そして開く）ための本発明に係る方法にも適用される。
【課題を解決するための手段】
【０００６】
本目的は、独立請求項１および独立請求項８の主題によって達成される。本発明に対する有利な改良は、従属請求項から明らかになる。
【０００７】
本発明に係る係止システムは、コンテナと共に提供され、係止ボルトを作動させるための作動装置を有し、係止ボルトは、係止開口と適切に相互作用して、本発明に係る係止システムによるコンテナの係止および開放を可能にし、コンテナ係止制御装置が、作動装置を制御するために提供される。追加的に、本発明によれば、係止コードを受信するために、コンテナ係止制御装置に関連付けられたコンテナ通信装置が、提供される。さらに、コンテナ・コード取得装置が、係止コードの取得のために提供される。ここでのコンテナ係止制御装置は、受信された係止コードおよび取得された係止コードの比較を実行し、係止コードが正しく合致した場合に、係止ボルトによってコンテナを係止し、または開くために作動装置を作動させるように提供される。さらに、本発明によれば、中央制御装置が提供され、この中央制御装置は、係止コードを生成し、これをダイヤルアップ通信ネットワークを介してコンテナ通信装置に送信する。さらに、本発明によれば、通信コードが提供され、コンテナ通信装置がこの通信コードによって起動できるように、通信コードをコンテナ・コード取得装置によってコンテナ係止制御装置に送ることができる。適切な通信コードによって適宜停止させることもできる。
【０００８】
本発明によれば、コンテナ用の係止システムを用いて、たとえば航空貨物コンテナの場合、コンテナ通信装置は、飛行運行中停止され、必要とされるまで起動させることができないことがこうして確実にされるため、対応するコードはそのときまで送信されず、それによって、取得された係止コードおよび受信された係止コードをコンテナの適切な目的地において比較することによって最大限の安全性をもたらす。この場合、たとえば、通信コードを、好ましくは、たとえば事前にコンテナ係止制御装置内に記憶することもできる。コンテナ係止制御装置内に記憶するための受信される係止コードの受信も、事前に学習ステップでも実施することができる。
【０００９】
本発明に係る係止システムの最大限の安全性および柔軟性のために、係止コードおよび通信コードがダイヤルアップ通信ネットワークによって送信され、携帯機器によって取り出すことができるような対策が、本発明の１つの実施形態によってなされる。コンテナ・コード取得装置と相互作用して携帯機器によって取り出すことにより、取得された係止コードは、コンテナ係止制御装置に送られ、そのためこれを受信された係止コードと比較することができる。
【００１０】
好ましくは、コンテナ・コード取得装置は、係止コードおよび／または通信コードを、この場合は携帯機器のディスプレイによって取得する。この設計では、コンテナ・コード取得装置は、カメラとすることができることが特に好ましい。
【００１１】
携帯機器は、好ましくは、取得される係止コードおよび通信コードを表示するための適切なアプリを備えた携帯電話とすることができる。
【００１２】
係止コードおよび／または通信コードが適切なＱＲコード（登録商標）である場合、本発明により特に安全である。
【００１３】
目的地におけるコンテナの安全な閉鎖および／または開放を的確に確実にするために、本発明に係る係止システムには、非常時作動装置を提供することができ、この非常時作動装置は、ダイヤルアップ通信ネットワークの不具合が生じた場合に、たとえば数値の非常時係止コードの入力を可能にする数値キーパッドによって、コンテナの開閉を可能にする。たとえば、適切な数値の非常時係止コードを、好ましくは、学習ステップにおいて事前にコンテナ係止制御装置内に記憶することができる。したがって、本発明に係る係止システムを備えたコンテナを、ダイヤルアップ通信ネットワークが利用できない目的地であっても的確に開き、係止することがこうして確実にされる。
【００１４】
好ましくは、ダイヤルアップ通信ネットワークは、セルラー・ネットワークであり、ここではセルラー・ネットワークは、本質的に完全にカバーして世界規模で広く提供されている。
【００１５】
コンテナを係止するための本発明に係る方法では、コンテナ用の係止システムであって、係止ボルトを作動させる作動装置を有し、作動装置を制御するためのコンテナ係止制御装置を有する、コンテナ用の係止システムが提供される。本発明によれば、コンテナ係止制御装置に関連付けられたコンテナ通信装置が提供され、それにより、コンテナ通信装置による受信の後、作動装置は、コンテナ・コード取得装置による取得、そして受信された係止コードおよび取得された係止コードの比較の正しい合致の際に作動され、中央制御装置が、係止コード（好ましくは受信された係止コードおよび取得された係止コードの両方）を生成し、これをダイヤルアップ通信ネットワークを介してコンテナ通信装置に送信する。コンテナ通信装置は、コンテナ・コード取得装置によってコンテナ係止制御装置に送られた通信コードによって起動される。
【００１６】
本発明に係る方法では、本発明に係る装置にもあてはまるが、第三者による権限の無いアクセスから大きく保護されるようにして対応するコンテナの安全な開閉がこうして可能であり、それと同時に、この性質を有する係止システムを備えたコンテナは、航空貨物の分野でも本発明に係る方法を用いながら問題無く使用できることが、本発明によってこうして確実にされる。
【００１７】
本発明に係る方法は、それに応じて本発明に係る装置を使用して実施することができる。
【００１８】
本発明は、例として説明する実施形態に基づいて以下に詳細に説明されるものとする。
【図面の簡単な説明】
【００１９】
【図１】本発明の１つの実施形態に係るコンテナ用の係止システムの概略図である。
【発明を実施するための形態】
【００２０】
図１は、本発明の１つの実施形態に係るコンテナ用の係止システムの概略図を示す。
【００２１】
コンテナ１は、コンテナ１の適切な係止開口と相互作用する係止ボルト３を作動させてコンテナ１の係止および開放を適切に可能にする、作動装置２を有する。コンテナ１また、作動装置２を制御するためのコンテナ係止制御装置４も有する。コンテナに組み込まれるのは、本発明に係る係止システムに電力を供給するための電池１４である。
【００２２】
係止コード６を受信するために、コンテナ係止制御装置４に関連付けられたコンテナ通信装置５が提供され、カメラとして実装されたコンテナ・コード取得装置７が、係止コード６の取得のために提供される。コンテナ係止制御装置４は、受信された係止コード６および取得された係止コード６の比較を実行し、係止コード６が正しく合致した場合、コンテナ１を開き、または係止するために作動装置２を作動させるように提供される。中央制御装置８が提供され、この中央制御装置は、係止コード６を生成し、これをダイヤルアップ通信ネットワーク９、好ましくはセルラー・ネットワークを介してコンテナ通信装置５に送信する。通信コード１０も提供され、コンテナ・コード取得装置７によってコンテナ係止制御装置に送られ、それによってコンテナ通信装置５は、たとえば、目的地において本発明に係る適切な方法で起動することができる。係止コード６および通信コード１０はまた、ダイヤルアップ通信ネットワーク９によって送信され、これもまた図示する携帯機器１１によって取り出すことができる。好ましくは、これらはＱＲコードであり、携帯機器１１のディスプレイを介して、カメラとして実装されたコンテナ・コード取得装置７によって取得することができる。
【００２３】
非常時の開放のために、非常時作動装置１２が利用可能であり、この非常時作動装置は、ダイヤルアップ通信ネットワーク９の不具合が生じた場合に、数値の非常時係止コードの入力を可能にする数値キーパッド１３によってコンテナ１の開閉を可能にする。
【００２４】
コンテナ・コード取得装置７とするカメラによって取得することができるＱＲコードの使用に加えて、適用可能な場合、適切なリーダを備えたＲＦＩＤチップが、少なくとも通信コードとして、カメラの代わりにコンテナ通信装置を起動することも可能である。これにより、ダイヤルアップ通信ネットワーク９によって中央制御装置８を介して提供された情報とのコンテナ通信の起動を、さらにより技術的に簡単に実装することが可能になる。
【００２５】
少なくとも例示的な実施形態を前述の説明において示してきたが、さまざまな変更および改変が加えられてよい。前記実施形態は、例示的にすぎず、係止システムの有効性の範囲、適用性、または構造をいかなる形においても限定するようには意図されない。そうではなく、前述の説明は、当業者に対して、係止システムの少なくとも１つの例示的な実施形態の実施のための案を提供しており、添付の特許請求の範囲およびその法的等価物の保護の範囲から逸脱することなく、係止システムの機能および設計において、例示的な実施形態において説明する構成要素から数多くの変更が加えられてよい。
【図１】
2019112140.tif 000003
【外国語明細書】
2019112140000001.pdf